(57)【要約】本発明は、ベンチレーテッド型ディスクブレーキ（２）のディスクのブレーキングバンド（１）に関し、ブレーキング動作中に発生する耳障りなきしみ音の発生を防止できるものである。ブレーキングバンド（１）は、ブレーキングバンド（１）の回転軸（Ｘ−Ｘ）［回転軸は軸方向（Ｘ−Ｘ）を定義する。］に近い内径（Ｄ１）と、回転軸（Ｘ−Ｘ）から離れた外径（Ｄ２）との間に延在する。ブレーキングバンド（１）は、軸方向（Ｘ−Ｘ）にほぼ垂直な径方向（Ｒ−Ｒ）と、軸方向（Ｘ−Ｘ）及び径方向（Ｒ−Ｒ）にほぼ垂直な周方向（Ｃ−Ｃ）を定義する。ブレーキングバンド（１）は、対向する２つのプレート（３，４）を有する。プレート（３，４）は、直接的又は間接的に対向してそれらの間に隙間（７）を形成する内面（５，６）と、外面（８，９）を有する。外面（８，９）は、ブレーキング面（１０，１１）を形成する、対向する平坦な周方向部を有する。プレート（３，４）は、軸方向（Ｘ−Ｘ）にプレート厚を有する。プレート（３，４）は、放熱要素、すなわち連結要素（１６，１７，１８，１９）によって互いに結合されている。連結要素（１６，１７，１８，１９）は、柱及び/又はリブの形をしており、一方のプレートから他方のプレートに向かって突出し、プレート（３，４）を連結する橋の形をしている。プレート（３，４）の少なくとも一方は、プレート（３，４）から隙間（７）に突出するが反対側のプレート（４，３）には到達しない少なくとも一つの突起（２０，２１，２２）を有し、隙間（７）を局部的に狭くするとともにプレート本体（１２，１３）の厚みを大きくして、局部的にプレート厚（１４，１５）が大きくなっている。少なくとも一つの突起（２０，２１，２２）は、第１連結要素（１６，１７，１８，１９）から隣接する連結要素に少なくとも延在し、連結要素を連結している。少なくとも一つの突起（２０，２１，２２）は少なくとも周方向（Ｃ−Ｃ）に延在し、周方向（Ｃ−Ｃ）に隣接して配置された少なくとも隣接する連結要素を連結する。各突起（２０，２１，２２）のグループは、周方向の均一な分布を避けて、不連続な環状経路に沿って周方向に延在している。
2021514449.tif 000002
【特許請求の範囲】
【請求項１】
ベンチレーテッド型ディスクブレーキ（２）用ディスクのブレーキングバンド（１）であって、
前記ブレーキングバンド（１）は、前記ブレーキングバンド（１）の回転軸（Ｘ−Ｘ）の近くの内径（Ｄ１）と軸方向を定義する前記回転軸（Ｘ−Ｘ）から離れた外径（Ｄ２）との間に延在しており、
前記ブレーキングバンド（１）は、前記軸方向（Ｘ−Ｘ）にほぼ垂直な径方向（Ｒ−Ｒ）と、前記軸方向（Ｘ−Ｘ）と前記径方向（Ｒ−Ｒ）の両方に垂直な周方向（Ｃ−Ｃ）とを定義しており、
前記ブレーキングバンド（１）は、互いに対向する２つのプレート（３，４）を有し、
前記プレート（３，４）は、直接又は間接に対向して隙間（７）の範囲を定める内面（５，６）を有し、
前記プレート（３，４）は外面（８，９）を有し、
前記外面（８，９）は、ブレーキング面（１０，１１）を形成する対向する平坦な周方向部分を有し、
前記プレート（３，４）は、前記軸方向（Ｘ−Ｘ）又は前記プレート（１４，１５）の厚さ方向の延長部を備えたプレート本体（１２，１３）を有し、
前記プレート（３，４）は、放熱要素又は連結要素（１６，１７，１８，１９）によって互いに結合されており、
前記連結要素（１６，１７，１８，１９）は、前記プレート（３，４）を連結する橋の形をして一方のプレートから他方のプレートに向かって突出する柱及び/又はリブの形をしており、
前記プレート（３，４）の少なくとも一方は少なくとも一つの突起（２０，２１，２２）を有し、
前記突起は、前記プレート（３，４）から前記隙間（７）に突出するが、反対側のプレート（４，３）には到達せず、
これにより、前記隙間（７）は少なくとも部分的に狭くなる一方で前記プレート本体（１２，１３）が厚くなり、前記プレート（１４，１５）の厚みが部分的に大きくなっており、
前記少なくとも一つの突起（２０，２１，２２）は、少なくとも第１連結要素（１６，１７，１８，１９）から隣接する連結要素（１６，１７，１８，１９）に延在して、前記連結要素（１６，１７，１８，１９）を連結しており、
前記少なくとも一つの突起（２０，２１，２２）は、少なくとも前記周方向に延在して、少なくとも周方向（Ｃ−Ｃ）に並列に配置された少なくとも２つの隣接する前記連結要素（１６，１７，１８，１９）を連結しており、
各突起（２０，２１，２２）のグループは、不連続な環状経路に沿って周方向に延在して、前記周方向への不均一な分布が解消されている、ブレーキングバンド。
【請求項２】
各突起（２０，２１，２２）のグループは、閉じられた環状経路ではなく、不連続な円形扇部に沿って周方向に延在している、請求項１のブレーキングバンド。
【請求項３】
前記連結要素（１６，１７，１８，１９）は、周方向に配置された少なくとも２つの列又はライン（２３，２４，２５）にグループ化されており、
前記複数のラインのうちの第１ライン（２３）は、径方向に又は前記内径（Ｄ１）に近くで前記軸（Ｘ−Ｘ）に向かって内側に配置されており、
前記複数のラインのうちの第２ライン（２４）は、前記外径（Ｄ２）の近くで前記軸（Ｘ−Ｘ）から径方向に離れて最も外側に配置されており、
前記複数のラインのうちの少なくとも一つの第３ライン（２５）は、前記内側の第１内側ライン（２３）と前記第２外側ライン（２４）の間で径方向に配置されており、及び/又は
前記連結要素（１６，１７，１８，１９）の少なくとも２つは柱（２６）で、前記柱は前記隙間（７）に沿った前記空気の流れにほぼ平行な面上で円形断面を有し、及び/又は
前記連結要素（１６，１７，１８，１９）の少なくとも２つはタブ（２７）又はリブで、前記タブ又は前記リブは前記隙間（７）に沿った前記空気の流れにほぼ平行な面上で例えば径方向（Ｒ−Ｒ）方向に細長い形状を有し、
前記連結要素（１６，１７，１８，１９）の少なくとも２つは、前記隙間（７）に沿った空気の流れにほぼ平行な面上で、４つの側部（２９）によって連結された４つの頂点（２８）を有するひし形又はダイヤモンド形状を有し、前記断面の範囲を定める前記側部（２９）はほぼ直線形状であり、及び/又は
前記少なくとも一つの突起（２０，２１，２２）は、同じライン（２３，２４，２５）の前記連結要素（１６，１７，１８，１９）を連結する少なくとも複数の突起を有し、及び/又は
前記少なくとも一つの突起（２０，２１，２２）は、円形扇部において同じライン（２３，２４，２５）の前記連結要素（１６，１７，１８，１９）を連結する少なくとも複数の突起を有し、及び/又は
前記少なくとも一つの突起（２０，２１，２２）は、周方向に隣接しない複数の円形扇部において同じライン（２３，２４，２５）の前記連結要素（１６，１７，１８，１９）を連結する少なくとも複数の突起を有し、及び/又は
前記少なくとも一つの突起（２０，２１，２２）は、円形扇部においてすべてのライン（２３，２４，２５）の前記連結要素（１６，１７，１８，１９）を連結し、及び/又は
前記少なくとも一つの突起（２０，２１，２２）は、周方向に隣接しない複数の円形扇部のすべてのライン（２３，２４，２５）の前記連結要素（１６，１７，１８，１９）を連結する、請求項１又は２のブレーキングバンド。
【請求項４】
前記少なくとも一つの突起（２０，２１，２２）は前記プレート（３，４）の一方のみから前記隙間（７）に突出し、及び/または
前記少なくとも一つの突起（２０，２１，２２）は少なくとも２つの突起（２０，２１，２２）であり、前記少なくとも２つの突起（２０，２１，２２）は前記プレート（３，４）の両方から前記隙間（７）に突出し、及び/または
前記少なくとも一つの突起（２０，２１，２２）は少なくとも２つの突起（２０，２１，２２）であり、前記少なくとも２つの突起（２０，２１，２２）は前記プレート（３，４）の両方から前記隙間（７）に突出して互いに対向し、及び/または
前記少なくとも一つの突起（２０，２１，２２）は少なくとも２つの突起（２０，２１，２２）であり、前記少なくとも２つの突起（２０，２１，２２）は前記プレート（３，４）の両方から前記隙間（７）に突出して少なくとも部分的に互いにオフセットしている、請求項１から３のいずれかのブレーキングバンド。
【請求項５】
前記少なくとも一つの突起（２０，２１，２２）は、少なくとも一つの円形扇部（３０）の連結要素（１６，１７，１８，１９）を２つずつ連結する少なくとも複数の突起（２０，２１，２２）である、及び/又は
前記少なくとも一つの突起（２０，２１，２２）は、隣接しない円形扇部（３０）の連結要素（１６，１７，１８，１９）を２つずつ連結する少なくとも複数の突起（２０，２１，２２）である、及び/又は
前記少なくとも一つの突起（２０，２１，２２）は、複数の円形扇部（３０）の連結要素（１６，１７，１８，１９）を２つずつ連結する少なくとも複数の突起（２０，２１，２２）である、請求項１から４のいずれかのブレーキングバンド。
【請求項６】
前記複数の突起（２０，２１，２２）の前記グループは、環状の不連続な経路、例えば、ブレーキングバンド（１）の周囲の円弧に沿って延在する、又は、前記ブレーキングバンド（１）に沿った周囲の複数の円弧に対して周方向（Ｃ−Ｃ)に延在し、前記円弧は互いに隣接しないように配置されており、及び/又は
前記複数の突起（２０，２１，２２）の前記グループは、前記ブレーキバンド（１）の周囲の１０分の１に亘って周方向（Ｃ−Ｃ）に延在するか、又は、互いに隣接しないように配置された、前記ブレーキングバンドの周囲の複数の１０分の１の広がり部分に延在する、及び/又は
前記複数の突起（２０，２１，２２）の前記グループは、前記ブレーキバンド（１）の周囲の８分の１に亘って周方向（Ｃ−Ｃ）に延在するか、又は、互いに隣接しないように配置された、前記ブレーキングバンドの周囲の複数の８分の１の広がり部分に延在する、及び/又は
前記複数の突起（２０，２１，２２）の前記グループは、前記ブレーキバンド（１）の周囲の６分の１に亘って周方向（Ｃ−Ｃ）に延在するか、又は、互いに隣接しないように配置された、前記ブレーキングバンドの周囲の複数の６分の１の広がり部分に延在する、及び/又は
前記複数の突起（２０，２１，２２）の前記グループは、前記ブレーキバンド（１）の周囲の４分の１に亘って周方向（Ｃ−Ｃ）に延在するか、又は、互いに隣接しないように配置された、前記ブレーキングバンドの周囲の複数の４分の１の広がり部分に延在する、請求項１から５のいずれかのブレーキングバンド。
【請求項７】
互いに接近した前記突起（２０，２１，２２）の前記グループは、偶数個の隣接しない広がり部分に対して周方向（Ｃ−Ｃ）に延在する、及び/又は
互いに接近した前記突起（２０，２１，２２）の前記グループは、奇数個の隣接しない広がり部分に対して周方向（Ｃ−Ｃ）に延在する、請求項１から６のいずれかのブレーキングバンド。
【請求項８】
前記少なくとも一つの突起（２０，２１，２２）は一つの突起で、前記一つの突起は円形扇部（３０）において前記内側バンド径（Ｄ１）の近くから前記外側バンド径（Ｄ２）まで延在する、及び/又は
前記少なくとも一つの突起（２０，２１，２２）は少なくとも複数の周方向に隣接しない複数の突起で、
前記複数の突起はそれぞれ、円形扇部（３０）において前記内側バンド径（Ｄ１）の近くから前記外側バンド径（Ｄ２）まで延在する単一の突起である、請求項１から７のいずれかのブレーキングバンド。
【請求項９】
請求項１から８のいずれかに記載の前記ブレーキングバンドを有するディスクブレーキ（２）のディスク。
【請求項１０】
請求項１から９のいずれかに記載の前記ブレーキングバンドを有する乗物。
【発明の詳細な説明】
【技術分野】
【０００１】
本発明は、ブレーキングバンドに関する。
【０００２】
本発明はまた、限定的ではないが、特に自動車の分野に適用されるディスクブレーキ用ベンチレーテッドディスクに関する。
【背景技術】
【０００３】
ディスクブレーキのブレーキキャリパは、概ね、ブレーキディスクの外周縁を跨いで配置されており、軸方向（Ｘ−Ｘ）を定義する回転軸（Ａ−Ａ）を中心に回転するように構成されている。
【０００４】
また、ディスクブレーキには、径方向（Ｒ−Ｒ）が定義されている。この径方向は、実質的に上述の軸方向（Ｘ−Ｘ）及び接線方向（Ｃ−Ｃ）又は周方向（Ｃ−Ｃ）に垂直で、これらは上述の軸方向（Ｘ−Ｘ）方向及び上述の径方向（Ｒ−Ｒ）の両方に垂直である。
【０００５】
知られているように、ディスクブレーキのディスクは、ディスクを自動車のハブに関連付けるように構成されたベルを有し、そこから、ブレーキパッドと呼ばれ、キャリアのパッドと協働する環状部が伸びている。ベンチレーテッド型のディスクの場合、ブレーキングバンドは、対向する２つのプレートによって作られている。これらのプレートは、例えば柱状又はフィン状の連結要素によって互いに連結されている。二つのプレートの外面は対向するブレーキ面を形成している。一方、内面は、柱又はフィンと共に、ディスクを冷却するための通気用チャンネルを区画している。したがって、ディスクの回転中、チャンネルには遠心力によって空気が流れる。
【０００６】
上述のブレーキングパッドは、ディスクブレーキキャリパと協働し、二つの対向面であるブレーキング面に、パッドによって摩擦力が作用することによって、自動車のブレーキ動作が行われるように構成されている。
【０００７】
ブレーキ動作中、ブレーキキャリパパッドとブレーキングバンドのブレーキ面との間の摩擦は大量の熱を発生し、その熱は廃棄されなければならない、ことが知られている。
【０００８】
確かに、発生した熱は、いくつかの好ましくない現象を生じる。例えば、ブレーキパッドの変形、ブレーキング面のクラックの発生、又はブレーキングバンドを形成している材料の状態の局部的な変形で、それらはブレーキングパッドの劣化を招く。
【０００９】
特に、高いブレーキ効率を有する高性能自動車に適用した場合、大量のエネルギが廃棄され、そのためにブレーキング動作中に発生する熱を廃棄しなければならない。
【００１０】
上述のベンチレーテッド型ディスクは、特に、軸方向に対向する二つのプレートによって形成される隙間を形成しているいわゆるベンチレーション（通気）チャンネルの数や形状に関して、これまで継続的に改良がなされている。
【００１１】
公知のベンチレーテッド型ディスクのうち、いわゆる「ピラーディスク」は、熱放出特性（すなわち、冷却性）の点で特に効率の良いことが示されている。そのようなディスクでは、通気チャンネルは、エレメントを連結する特定の柱（これは、２つのプレートを横方向に連結する「柱」である。）によって内部が制限され、軸方向の伸びに対して径方向と周方向の伸びが制限される。
【００１２】
例えば、「柱式」のベンチレーテッド型ディスクは、ＥＰ１３７３７５１Ｂ１で知られている。この文献のディスクでは、構造上、３つの同心円に沿って柱が配置されている。３つの同心円は、ディスクと同軸で、異なる径を有し、３つの「ライン」を形成している。仮に、２つのプレートに平行でそれに対して中間に位置する断面で、柱は異なる横断面（例えば、中間と外側のライン上では「ひし形」断面の柱、内側のライン上では「涙滴形」の柱）を有する。
【００１３】
「柱」構造を有するその他のベンチレーテッド型ディスクが、例えばＷＯ２００４/１０２０２８号、米国特許第５，５４２，５０３号で知られている。
【００１４】
ベンチレーテッド型ディスクのうち、いわゆる「フィン型」又は「ウィング型」のディスクが知られている。このディスクでは、通気チャンネルの内部が、主方向に細長く、径方向に平行な方向に向けられた連結要素、又は２つのプレートを横方向に連結する螺旋式連結要素によって、内部が制限されている。
【００１５】
ディスクのブレーキング表面に対するパッドによるブレーキング動作によって熱の発生することが知られている。そして、特に負荷が大きい場合、ディスクの温度が上昇してディスクが白熱する。そのため、ブレーキング中にディスクが高温になって、ディスクが変形し、パッドとブレーキ面の接触力が低下する。また、パッドの摩擦材料がガラス化し、ディスク材料によって汚染される。
【００１６】
ブレーキング面の中央環状部（すなわち、それぞれのプレートの外面の中央環状部）が高温になることが確認されている。そのために、ディスク寿命中に部分に容易にクラックが発生する。
【００１７】
上述の課題を解消するために、ブレーキングによって発生する熱の発散効率を高めて、ブレーキング中又はその後のディスクの温度を抑えることの必要性や、ブレーキングバンドの中央部分の機械的抵抗を高めることの必要性能が、が特に唱えられている。
【００１８】
そのための解決策が、ＷＯ２００４/１０２０２８号、ＷＯ２００２/０６４９９２号、米国特許第７，０６６，３０６号、米国特許第７，２６７，２１０号、米国特許公開公報第２００６/０２４３５４６号、米国特許公開公報第２００４/０１２４０４７号、米国特許第６，３６７，５９９号、米国特許第５，５４２，５０３号、米国特許第４，８６５，１６７号で知られている。これらは種々の点で満足のいくものであるが、これらの公知の解決策はブレーキングパッドの中央環状領域における所望の機械抵抗性とブレーキング動作によって発生する局部的な高温を除去し得る空気流れを当該領域で最大化するという２つの相反する課題の折り合いをつけるものではない。
【００１９】
しかし、上述の形態のベンチレーテッド型ディスクはそれ自体が上述の問題と同時に発生する別の問題に対する解決策を提供するものではないが、ディスクブレーキ（特に、ベンチレーテッド型ディスクのディスクブレーキ）に影響を与える以下の問題を解決するものである点は注目に値する。
【００２０】
ブレーキ動作中、特にディスクとブレーキングバンドは、ディスク自体の振動特性に関連した周波数で機械的に振動することが知られている。このディスクの振動は、例えば、ディスクと機械的に連結された物の振動によって引き起こされる共振によって起こる。それらの物は、それらの振動数がディスクの振動周波数と同じ又は十分に近い場合、ブレーキング中にストレスを受ける。
【００２１】
その共振周波数が可聴範囲にある場合、上述の振動は特に耳障りなきしみノイズのような可聴ノイズ（例えば、２ＫＨｚから９ＫＨｚの甲高いキーンという音）を生じる。
【００２２】
したがって、ディスクの振動周波数を異なる値に移動させることによって、このような甲高いノイズを減少する又は無くすための解決策を講じる必要がある。
【００２３】
上述の「柱」構造とは異なる構造のディスクに関して、いくつかの解決策が知られている。
【００２４】
例えば、イタリア特許第１，２７３，７５４号にはブレーキングバンドが開示されている。このブレーキングバンドは、２つのプレートの間の隙間に向かって、プレートの内側部に突出する突起を備えている。特に、発生する振動とノイズを減少するために、位置と質量が具体的に特定されている。
【００２５】
邪魔な振動現象を減少するように構成された構造を有するその他のベンチレーテッド型ディスクが、例えば米国特許第４，５２３，６６６号から知られている。
【００２６】
クノールブレムゼ有限会社の米国特許第３，９８３，９７３号にはブレーキディスクが示されている。このブレーキディスクは、互いに離れて通気チャンネルを形成する一対の摩擦板を有する。ブレーキ力は、ブレーキパッドのブレーキングガスケットによって、プレートに加えられる。二つのプレートは、複数のガイドリブ又はフィンによって互いに連結されており、摩擦プレートの間に通気通路を形成している。耐振動材料のストリップが、摩擦プレートの両面に形成された径方向溝に配置されている。これらの挿入物は、金属要素であって、振動を減衰し、摩擦プレートを形成している鉄材料の伸び率よりも大きな伸び率を有する（例えば、鉛、青銅、銅）。
【００２７】
同様の解決策が米国特許出願公開公報第２００９/０３５５９８号から知られている。
【００２８】
ブレーキング装置にスクウォク型受動ダンパを連結して振動を減少することが、米国特許出願公開公報第２０１２/１１１６９２号から知られている。
【００２９】
米国特許第６，１３１，７０７号、ＷＯ２０１６/０２０８２０号、ＷＯ２０１７/１５３９０２号、ＷＯ２０１７/１５３８７２号、ＥＰ０３１８６８７号、ＷＯ２０１１/０５８６５９４号、ＷＯ２００６/１０５１３１号、米国特許公開公報第２００６/２１９５００号、米国特許第６，１４５，６３６号、米国特許公開公報第２０１０/１２２８８０号、米国特許第６，３２５，１８５号、第４，５２３，６６６号、第５，００４，０７８号から、ブレーキング動作によって引き起こされる振動を減少するために、周方向に不均一に分配されたブレーキングバンドプレートの間に連結部を設けることが知られている。
【００３０】
しかし、ブレーキ動作のある条件では、プレートの連結要素の配置によって構造的な不均一性を招き、ブレーキングパッドに集中する、まったく好ましくないストレスが発生する。
【００３１】
したがって、一体性と耐久性に悪影響を及ぼす、ブレーキングバンド内の集中応力を回避しながら、特別な冷却効率とブレーキングの際に振動やノイズを最小化する特性の両方を同時に提供するベンチレーテッド型ディスクの新規構造を提供する必要がある。
【００３２】
上述の公知のベンチレーテッド型ディスクとそれに関連するブレーキングパッドは、上述した要求を十分に満足し得るものでない。
【００３３】
そこで、本発明は上述の課題を解消して、新たなブレーキングパッド及びディスクブレーキ用ディスクを提供するもので、上述の要求を満足するとともに従来技術に関する上述の問題を解消する構造上及び機能上の特徴を有する。
【発明の概要】
【課題を解決するための手段】
【００３４】
課題を解決するための手段
【００３５】
本発明は、きしみ音が少ないブレーキングデバイスを提供することを目的とする。
【００３６】
上述の目的と利点は請求項１に係るブレーキングバンド、請求項９に係るディスクブレーキのディスク、及びクレーム１０に係る乗物によって達成される。
【００３７】
特定の好ましい実施形態は、従属請求項の主題である。
【００３８】
この解決手段を検討すれば、従来の解決策によりも、提案の解決手段がブレーキングの快適性を大幅に改善し、振動、特にきしみ音を生じる振動が減少する。
【００３９】
また、提案の解決手段によれば、実施形態によっては、ディスクの冷却効率を極めて高く維持する又は大きく改善される。例えば、ブレーキングバンドの隙間を流れる空気の流れが、プレート中にあって連結要素の間に配置されて周方向に延びる突起の特定の形状によって大きく乱されることから、冷却効率が大きく改善される。
【図面の簡単な説明】
【００４０】
図面の説明
【００４１】
本装置、ディスクブレーキ、及びビークルの特徴と利点は、添付図面を参照して、非限定的な好ましい実施形態の以下の説明から明らかになる。
【００４２】
【図１】図１は、本発明に係るディスクブレーキのディスクのクリーンアップの斜視図で、特に、中心軸と通る径方向の平面に沿った部分断面を示す。
【００４３】
【図２】図２は、図１のディスクの平面図で、隙間を流れる流体の平均的な流れ面に沿った断面を示す。
【００４４】
【図３】図３は、図１のディスクの外縁の、径方向からディスクの内側に向かった、詳細の斜視図を示す。
【００４５】
【図４】図４は、図２の詳細な断面の斜視図を示す。
【００４６】
【図５】図５は、径方向に沿った、図３の縁の側面図を示す。
【００４７】
【図６】図６は、別の形態に係るディスクの平面図で、隙間を流れる流体の平均的な流れ面に沿った断面を示す。
【００４８】
【図７】図７は、ディスクの径方向から内側に向かって見た、図６のディスクの外縁の詳細の斜視図を示す。
【００４９】
【図８】図８は、図６の断面の詳細の斜視図を示す。
【００５０】
【図９】図９は、図６のディスクの詳細の斜視図で、軸方向で且つ放射方向の平面に沿った部分断面図を示す。
【００５１】
【図１０】図１０は、別の形態に係るディスクの平面図で、隙間の流れる流体の平均的な流れ面に沿った断面を示す。
【００５２】
【図１１】図１１は、図１０のディスクの外縁の詳細の斜視図で、ディスクの内側に向かった
【００５３】
【図１２】図１２は、図１０の断面の詳細の斜視図を示す。
【００５４】
【図１３】図１３は、図１０の断面の詳細の斜視図を示し、軸方向で且つ放射方向の平面に沿った部分断面図を示す。
【好ましい実施形態の説明】
【００５５】
好ましい実施形態の説明
【００５６】
一般的な実施形態によれば、ベンチレーテッド型ディスクブレーキ２のためのディスクのブレーキングバンド１が提供される。
【００５７】
ブレーキングバンド１は、ブレーキングバンド１の回転軸Ｘ−Ｘに近い内径D1と、回転軸Ｘ−Ｘから離れた外径Ｄ２の間に延在している。回転軸は、軸方向Ｘ−Ｘを定義している。
【００５８】
ブレーキングバンド１は、軸方向Ｘ−Ｘにほぼ垂直な径方向Ｒ−Ｒと、軸方向Ｘ−Ｘと径方向Ｒ−Ｒの両方に垂直な周方向Ｃ−Ｃを定義している。
【００５９】
ブレーキングバンド１は、対向する２つのプレート３、４を有する。
【００６０】
プレート３，４は、互いに直接的又は間接的に対向して隙間７を形成する内面５，６を有する。隙間７は、ブレーキングバンド１のための通気ダクトを形成する。
【００６１】
プレート３，４は外面８，９を有する。
【００６２】
外面８，９は、ブレーキング面１０，１１を形成する、対向する平坦な外周部を有する。言い換えると、外面８，９のある部分は、ブレーキキャリパに収容されたブレーキパッドと協働して、ブレーキングバンド１に対して挟まれたとき、ブレーキング動作を発揮する。パッドによって擦られる又はこれに係る外面８，９の一部は、ブレーキング面１０，１１を形成する。
【００６３】
プレート３，４は、プレート本体１２，１３を有する。プレート本体１２，１３は、軸方向Ｘ−Ｘ又はプレート１４，１５の厚み方向に延びる部分を有する。言い換えると、軸方向から見たとき、各プレート３，４は、プレート３，４のプレート本体１２の軸方向の厚みによって与えられるプレート１４，１５の厚みを有する。
【００６４】
プレート３，４は、熱発散要素、すなわちプレート３，４の連結要素１６，１７，１８，１９によって互いに結合される。
【００６５】
連結要素１６，１７，１８，１９は、コラム及び/又はリブの形をしており、プレート３，４を連結する橋の形をして、一方のプレートから他方のプレートに向かって突出している。
【００６６】
プレート３，４の少なくとも一方は、少なくとも一つの突起２０，２１，２２を有する。突起２０，２１，２２は、プレート３，４から隙間７に突出しているが、反対側のプレート４，３には達していない。
【００６７】
突起２０，２１，２２は、隙間７を少なくとも局部的に狭くしている。言い換えると、突起２０，２１，２２の部分で、軸方向Ｘ−Ｘに関して隙間７の断面が小さくなる。
【００６８】
少なくとも突起２１，２２，２３の部分でプレート本体１２，１３の厚みが大きくなり、これにより、プレート１４，１５の厚みが局部的に大きくなっている。言い換えると、軸方向Ｘ−Ｘにおけるプレート本体の厚みに関して、厚み１４，１５が突起２０，２１，２２の箇所で大きくなっている。
【００６９】
少なくとも一つの突起２０，２１，２２は、第１の連結要素１６，１７，１８，１９から隣接する連結要素１６，１７，１８，１９に伸びており、連結要素１６，１７，１８，１９を互いに連結している。
【００７０】
少なくとも一つの突起２０，２１，２２は、少なくとも周方向Ｃ−Ｃに沿って延在し、周方向Ｃ−Ｃに隣接して配置された少なくとも２つの隣接連結要素１６，１７，１８，１９を連結している。
【００７１】
各突起２０，２１，２２のグループは、不連続な環状経路に沿って周方向に延在し、周方向に突起が均一に配置されるのを防いでいる。
【００７２】
一つの実施形態によれば、各突起２０，２１，２２のグルーブは、不連続な円形扇部に沿って周方向に延在し、環状経路がふさがれるのを防止している。
【００７３】
一実施形態によれば、連結要素１６，１７，１８，１９は、周方向に配置された少なくとも２つの列又はライン２３，２４，２５にグループ化される。
【００７４】
前記ラインのうちの第１のライン２３は、内径Ｄ１に近接して、径方向に向けて又は軸Ｘ−Ｘに向かって内側に配置されている。
【００７５】
前記ラインのうちの第２のライン２４は、外径Ｄ２に近接して、軸Ｘ−Ｘから離れて径方向の最外側に配置されている。
【００７６】
前記ラインのうちの少なくとも第３のライン２４は、第１の内側ライン２３と第２の外側ライン２４の間で、径方向に配置されている。
【００７７】
一実施例によれば、連結要素１６，１７，１８，１９の少なくとも２つは、隙間７又はベンチレーションチャンネルに沿った空気の流れに実質的に平行な平面上で、円形断面を有する柱２６である。
【００７８】
一実施例によれば、連結要素１６，１７，１８，１９の少なくとも２つは、フィン２７又はリブである。フィン又はリブは、隙間７又はベンチレーションチャンネルに沿った空気の流れに実質的に平行な平面上で、例えば径方向Ｒ−Ｒに細長い形の断面を有する。
【００７９】
一実施例によれば、連結要素１６，１７，１８，１９の少なくとも２つは、隙間７又はベンチレーションチャンネルに沿った空気の流れに実質的に平行な平面上で、４つの側部２９によって連結された４辺のひし形又はダイヤモンド形状の断面を有する。その断面を区画する側部は実質的に直線形状である。
【００８０】
一実施例によれば、少なくとも一つの突起２０，２１，２２は、プレート３，４の少なくとも一方から隙間７に突出している。
【００８１】
一実施例によれば、少なくとも一つの突起２０，２１，２２は少なくとも２つの突起２０，２１，２２で、少なくとも２つの突起２０，２１，２２は両プレート３，４から隙間７に突出する。
【００８２】
一実施例によれば、少なくとも一つの突起２０，２１，２２は少なくとも２つの突起２０，２１，２２で、少なくとも２つの突起２０，２１，２２が両プレート３，４から隙間７に突出して互いに対向する。
【００８３】
一実施例によれば、少なくとも一つの突起２０，２１，２２は少なくとも２つの突起２０，２１，２２で、少なくとも２つの突起２１，２１，２２は両プレート３，４から隙間７に突出して少なくとも部分的に互いにオフセットしている。言い換えると、第１のプレート３又は４の第１の突起２０，２１，２２は、軸方向Ｘ−Ｘに関して対向するプレート４又は３に配置された第２の突起と、まったく対向していないか、又は一部だけが対向している。
【００８４】
一実施例によれば、少なくとも一つの突起２０，２１，２２は複数の突起２０，２１，２２で、これら複数の突起は、少なくとも一つの円形扇部３０の連結要素１６，１７，１８，１９を二つずつ連結する。
【００８５】
一実施例によれば、少なくとも一つの突起２０，２１，２２は複数の突起２０，２１，２２で、これら複数の突起は隣接しない円形扇部３０の連結要素１６，１７，１８，１９を二つずつ連結する。
【００８６】
一実施例によれば、少なくとも一つの突起２０，２１，２２は複数の突起２０，２１，２２で、これら複数の突起は複数の隣接しない円形扇部３０の連結要素を二つずつ連結する。
【００８７】
一実施例によれば、複数の突起２０，２１，２２のグループは、例えばブレーキングバンド１の周囲の円弧に沿った不連続な環状経路に沿って、周方向Ｃ−Ｃに延在する。
【００８８】
一実施例によれば、複数の突起２０，２１，２２のグループは、ブレーキングバンド１の周囲の複数の隣接しない円弧に対して周方向Ｃ−Ｃに延在する。
【００８９】
一実施例によれば、突起２０，２１，２２のグループは、ブレーキングバンド１の周囲の１０分の１の部分で周方向に延在する。
【００９０】
一実施例によれば、突起２０，２１，２２のグループは、ブレーキングパッド１の周囲の１０分の１のそれぞれの隣接しない広がり部分で周方向Ｃ−Ｃに延在する。
【００９１】
一実施例によれば、突起２０，２１，２２のグループは、ブレーキングバンド１の周の８分の1にわたって周方向に延在するか、ブレーキングバンド１の周の８分の１の隣接しない複数の広がり部分に延在する。
【００９２】
一実施例によれば、突起２０，２１，２２のグループは、ブレーキングバンド１の周の６分の１にわたって周方向に延在するか、ブレーキングバンド１の周の８分の１の隣接しない複数の広がり部分に延在する。
【００９３】
一実施例によれば、突起２０，２１，２２のグループは、ブレーキングバンド１の周の４分の１にわたって周方向に延在するか、ブレーキングバンド１の周の４分の１の隣接しない複数の広がり部分に延在する。
【００９４】
一実施例によれば、突起２０，２１，２２のグループは、偶数個の隣接しない広がり部分の周方向に延在する。
【００９５】
一実施例によれば、突起２０，２１，２２のグループは、奇数個の隣接しない広がり部分の周方向に延在する。
【００９６】
一実施例によれば、突起２０，２１，２２のうちの少なくとも一つの突起は、途切れることの無い単一の部分、または、円形扇部３０に延在しかつバンド内径Ｄ１の近くからバンド外径Ｄ２の近くまで延在する単一の部分である。
【００９７】
一実施例によれば、突起２０，２１，２２のうちの少なくとも一つの突起は少なくとも複数の周方向に隣接しない突起であり、各突起は円形扇部３０に延在しかつバンド内径Ｄ１の近くからバンド外径Ｄ２の近くまで延在する単一の部分である。
【００９８】
一実施例によれば、少なくとも一つの突起２０，２１，２２は、同じライン２３，２４，２５の連結要素１６，１７，１８，１９を連結する、少なくとも複数の突起である。
【００９９】
一実施例によれば、少なくとも一つの突起２０，２１，２２は、概ね円形扇部に限って延在する同じライン２３，２４，２５の連結要素１６，１７，１８，１９を連結する、少なくとも複数の突起である。
【０１００】
一実施例によれば、少なくとも一つの突起２０，２１，２２は、概ね周方向に隣接しない複数の扇部に限って延在する同じライン２３，２４，２５の連結要素１６，１７，１８，１９を連結する、少なくとも複数の突起である。
【０１０１】
一実施例によれば、少なくとも一つの突起２０，２１，２２は、円形扇部に限って延在するすべてのライン２３，２４，２５のすべての連結要素１６，１７，１８，１９を連結する。
【０１０２】
一実施例によれば、少なくとも一つの突起２０，２１，２２は、周方向に隣接しない複数の円形扇部に限って延在するすべてのライン２３，２４，２５のすべての連結要素１６，１７，１８，１９を連結する。
【０１０３】
本発明はまた、上述した複数の実施例のいずれか一つに係る、ブレーキングバンド１を有するディスクブレーキ２のディスクに関する。
【０１０４】
本発明はまた、上述した複数の実施例のいずれか一つに係る、ブレーキングバンド１を有する乗物に関する。
【０１０５】
当業者は、上述した実施例に適用され又置換される多くの変更が可能である。また、当業者は、特許請求の範囲から逸脱することなく、必要に応じて機能的に等価な他の要素に置換することもできる。
【０１０６】
近接して配置されたグループの突起２０，２１，２２は、周方向に配置された一群の突起２０，２１，２２を形成し、突起グループの不均一は配置を形成し得る周方向に不均一性を有する周方向の分布や、共鳴した場合に邪魔なノイズやきしみ音を生じるブレーキングバンドの振動モードの存在を回避する分布を作る。
【符号の説明】
【０１０７】
１：ブレーキングバンド
２：ディスクブレーキのディスク
３：プレート
４：プレート
５：内面
６：内面
８：隙間
８：外面
９：外面
１０：ブレーキング面
１１：ブレーキング面
１２：プレート本体
１３：プレート本体
１４：プレート厚
１５：プレート厚
１６：連結要素
１７：連結要素
１８：連結要素
１９：連結要素
２０：突起
２１：突起
２２：突起
２３：ライン
２４：ライン
２５：ライン
２６：柱
２７：フィン又はリブ
２８：４つの頂点を有するひし形又はダイヤモンド形状
２９：ひし形側部
３０：円形扇部
X-X：回転軸及び軸方向
R-R：径方向
C-C：接線方向
D1：内側バンド径
D2：外側バンド径
【図１】
2021514449.tif 000003
【図２】
2021514449.tif 000004
【図３】
2021514449.tif 000005
【図４】
2021514449.tif 000006
【図５】
2021514449.tif 000007
【図６】
2021514449.tif 000008
【図７】
2021514449.tif 000009
【図８】
2021514449.tif 000010
【図９】
2021514449.tif 000011
【図１０】
2021514449.tif 000012
【図１１】
2021514449.tif 000013
【図１２】
2021514449.tif 000014
【図１３】
2021514449.tif 000015
【国際調査報告】
2021514449.tif 000016
2021514449.tif 000017
2021514449.tif 000018
2021514449.tif 000019
2021514449.tif 000020